(57)【要約】  ワイヤレス通信のための方法、装置、およびコンピュータプログラム製品が提供される。本装置は、メモリと、メモリに結合され、ワイヤレスチャネル上の通信に関連する送信状態を決定するように構成される、少なくとも１つのプロセッサとを含み得る。プロセッサは、送信状態に基づいて開ループ電力制御パラメータの少なくとも２つのセットのうちの開ループ電力制御パラメータのセットを選択するように構成され得る。プロセッサは、開ループ電力制御パラメータの選択されたセットに基づく電力を用いてワイヤレスチャネル上で送信するように構成され得る。本装置は、ユーザ機器（ＵＥ）のようなワイヤレスデバイスであり得る。開ループ電力制御パラメータは、ノードＢまたは発展型ノードＢ（ｅＮＢ）のような、基地局から受信され得る。【選択図】図８
2018526917.tif 000002
【特許請求の範囲】
【請求項１】
第１のユーザ機器（ＵＥ）のワイヤレス通信の方法であって、前記方法が、
前記第１のＵＥによって、ワイヤレスチャネル上の通信に関連する送信状態を決定することと、
前記第１のＵＥによって、前記送信状態に基づいて開ループ電力制御パラメータの少なくとも２つのセットのうちの開ループ電力制御パラメータのセットを選択することと、
前記第１のＵＥによって、開ループ電力制御パラメータの前記選択されたセットに基づく電力を用いて前記ワイヤレスチャネル上で送信することと
を備える、方法。
【請求項２】
パラメータの前記複数のセットのうちの各セットが、半静的ベース電力レベルに関連する第１のパラメータと、経路損失補償に関連する第２のパラメータとを備える、請求項１に記載の方法。
【請求項３】
前記ワイヤレスチャネル上の前記通信が、ワイヤレスワイドエリアネットワーク（ＷＷＡＮ）通信を通した基地局とのアップリンク通信を備える、請求項１に記載の方法。
【請求項４】
前記送信状態が、第２のＵＥによって行われるデバイスツーデバイス（Ｄ２Ｄ）通信に関連し、ここにおいて、前記ワイヤレスチャネル上の前記送信状態を前記決定することは、前記第１のＵＥが前記第２のＵＥへの干渉を引き起こしているかどうかを決定することを備える、請求項３に記載の方法。
【請求項５】
前記第１のＵＥが前記第２のＵＥへの干渉を引き起こしているかどうかを前記決定することは、前記第２のＵＥが、前記ＷＷＡＮ通信のために前記第１のＵＥによって使用されるべきリソースの同じセット上でＤ２Ｄ通信を通して通信しているかどうかを決定することを備える、請求項４に記載の方法。
【請求項６】
開ループ電力制御パラメータの前記セットを前記選択することは、
前記第２のＵＥが、前記ＷＷＡＮ通信のために前記第１のＵＥによって使用されるべきリソースの前記同じセット上で通信していると前記第１のＵＥが決定したとき、開ループ電力制御パラメータの第１のセットを選択することと、
前記第２のＵＥが、前記ＷＷＡＮ通信のために前記第１のＵＥによって使用されるべきリソースとは異なるリソースのセット上で通信していると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
請求項５に記載の方法。
【請求項７】
前記送信状態が、デバイスツーデバイス（Ｄ２Ｄ）リソースとネイバリング基地局のＷＷＡＮリソースとの間の割振りに関連する、請求項３に記載の方法。
【請求項８】
開ループ電力制御パラメータの前記セットを前記選択することは、
前記ワイヤレスチャネル上の前記通信が、前記ネイバリング基地局の割り振られたＤ２Ｄリソースと重複する少なくとも１つのリソース上にあると前記第１のＵＥが決定したとき、開ループ電力制御パラメータの第１のセットを選択することと、
前記ワイヤレスチャネル上の前記通信が、前記ネイバリング基地局の割り振られたＷＷＡＮリソースと重複する少なくともリソース上にあると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
請求項７に記載の方法。
【請求項９】
前記ワイヤレスチャネル上の前記通信が、第２のＵＥとのＤ２Ｄ通信を備える、請求項１に記載の方法。
【請求項１０】
前記送信状態が、第３のＵＥによって行われるＷＷＡＮ通信に関連し、ここにおいて、前記ワイヤレスチャネル上の前記送信状態を前記決定することは、前記第３のＵＥが前記第１のＵＥへの干渉を引き起こしているかどうかを決定することを備える、請求項９に記載の方法。
【請求項１１】
前記第３のＵＥが干渉を引き起こしているかどうかを前記決定することは、前記第３のＵＥが、前記Ｄ２Ｄ通信のために前記第１のＵＥによって使用されるべきリソースの同じセット上で前記ＷＷＡＮを通して通信しているかどうかを決定することを備える、請求項１０に記載の方法。
【請求項１２】
開ループ電力制御パラメータの前記セットを前記選択することは、
前記第３のＵＥが、前記Ｄ２Ｄ通信のために前記第１のＵＥによって使用されるべきリソースの前記同じセット上で通信していると前記第１のＵＥが決定したとき、開ループ電力制御パラメータの第１のセットを選択することと、
前記第３のＵＥが、前記Ｄ２Ｄ通信のために前記第１のＵＥによって使用されるべきリソースとは異なるリソースのセット上で通信していると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
請求項１１に記載の方法。
【請求項１３】
前記Ｄ２Ｄ通信がＤ２Ｄ発見であり、前記送信することが、開ループ電力制御パラメータの前記選択されたセットに基づいてＤ２Ｄ発見のための発見信号を送信することを備える、請求項９に記載の方法。
【請求項１４】
前記Ｄ２Ｄ通信が、物理サイドリンク共有チャネル（ＰＳＳＣＨ）または物理サイドリンク制御チャネル（ＰＳＣＣＨ）を通しており、前記送信することが、開ループ電力制御パラメータの前記選択されたセットに基づいて前記ＰＳＳＣＨを通してデータを送信すること、または開ループ電力制御パラメータの前記選択されたセットに基づいて前記ＰＳＣＣＨを通して制御情報を送信することのうちの少なくとも１つを備える、請求項９に記載の方法。
【請求項１５】
第１のユーザ機器（ＵＥ）のためのワイヤレス通信のための装置であって、前記装置が、
前記第１のＵＥによって、ワイヤレスチャネル上の通信に関連する送信状態を決定するための手段と、
前記第１のＵＥによって、前記送信状態に基づいて開ループ電力制御パラメータの少なくとも２つのセットのうちの開ループ電力制御パラメータのセットを選択するための手段と、
前記第１のＵＥによって、開ループ電力制御パラメータの前記選択されたセットに基づく電力を用いて前記ワイヤレスチャネル上で送信するための手段と
を備える、装置。
【請求項１６】
パラメータの前記複数のセットのうちの各セットが、半静的ベース電力レベルに関連する第１のパラメータと、経路損失補償に関連する第２のパラメータとを備える、請求項１５に記載の装置。
【請求項１７】
前記ワイヤレスチャネル上の前記通信が、ワイヤレスワイドエリアネットワーク（ＷＷＡＮ）通信を通した基地局とのアップリンク通信を備える、請求項１５に記載の装置。
【請求項１８】
前記送信状態が、第２のＵＥによって行われるデバイスツーデバイス（Ｄ２Ｄ）通信に関連し、ここにおいて、前記ワイヤレスチャネル上の前記送信状態を決定するための前記手段は、前記第１のＵＥが前記第２のＵＥへの干渉を引き起こしているかどうかを決定するように構成される、請求項１７に記載の装置。
【請求項１９】
前記第１のＵＥが前記第２のＵＥへの干渉を引き起こしているかどうかを決定するための前記手段は、前記第２のＵＥが、前記ＷＷＡＮ通信のために前記第１のＵＥによって使用されるべきリソースの同じセット上でＤ２Ｄ通信を通して通信しているかどうかを決定するように構成される、請求項１８に記載の装置。
【請求項２０】
前記送信状態が、デバイスツーデバイス（Ｄ２Ｄ）リソースとネイバリング基地局のＷＷＡＮリソースとの間の割振りに関連する、請求項１７に記載の装置。
【請求項２１】
前記ワイヤレスチャネル上の前記通信が、第２のＵＥとのＤ２Ｄ通信を備える、請求項１５に記載の装置。
【請求項２２】
前記送信状態が、第３のＵＥによって行われるＷＷＡＮ通信に関連し、ここにおいて、前記ワイヤレスチャネル上の前記送信状態を決定するための前記手段は、前記第３のＵＥが前記第１のＵＥへの干渉を引き起こしているかどうかを決定するように構成される、請求項１５に記載の装置。
【請求項２３】
前記第３のＵＥが干渉を引き起こしているかどうかを決定するための前記手段は、前記第３のＵＥが、前記Ｄ２Ｄ通信のために前記第１のＵＥによって使用されるべきリソースの同じセット上で前記ＷＷＡＮを通して通信しているかどうかを決定するように構成される、請求項２２に記載の装置。
【請求項２４】
前記Ｄ２Ｄ通信がＤ２Ｄ発見であり、送信するための前記手段が、開ループ電力制御パラメータの前記選択されたセットに基づいてＤ２Ｄ発見のための発見信号を送信するように構成される、請求項２２に記載の装置。
【請求項２５】
第１のユーザ機器（ＵＥ）のためのワイヤレス通信のための装置であって、前記装置が、
メモリと、
前記メモリに結合される少なくとも１つのプロセッサと
を備え、前記少なくとも１つのプロセッサが、
前記第１のＵＥによって、ワイヤレスチャネル上の通信に関連する送信状態を決定することと、
前記第１のＵＥによって、前記送信状態に基づいて開ループ電力制御パラメータの少なくとも２つのセットのうちの開ループ電力制御パラメータのセットを選択することと、
前記第１のＵＥによって、開ループ電力制御パラメータの前記選択されたセットに基づく電力を用いて前記ワイヤレスチャネル上で送信することと
を行うように構成される、
装置。
【請求項２６】
前記ワイヤレスチャネル上の前記通信が、ワイヤレスワイドエリアネットワーク（ＷＷＡＮ）通信を通した基地局とのアップリンク通信を備える、請求項２５に記載の装置。
【請求項２７】
前記送信状態が、第２のＵＥによって行われるデバイスツーデバイス（Ｄ２Ｄ）通信に関連し、ここにおいて、前記少なくとも１つのプロセッサは、前記第１のＵＥが前記第２のＵＥへの干渉を引き起こしているかどうかの決定に基づいて、前記ワイヤレスチャネル上の前記送信状態を決定するように構成される、請求項２６に記載の装置。
【請求項２８】
前記送信状態が、デバイスツーデバイス（Ｄ２Ｄ）リソースとネイバリング基地局のＷＷＡＮリソースとの間の割振りに関連する、請求項２６に記載の装置。
【請求項２９】
前記ワイヤレスチャネル上の前記通信が、第２のＵＥとのＤ２Ｄ通信を備える、請求項２５に記載の装置。
【請求項３０】
第１のユーザ機器（ＵＥ）のためのワイヤレス通信のためのコンピュータ実行可能コードを記憶するコンピュータ可読媒体であって、
前記第１のＵＥによって、ワイヤレスチャネル上の通信に関連する送信状態を決定することと、
前記第１のＵＥによって、前記送信状態に基づいて開ループ電力制御パラメータの少なくとも２つのセットのうちの開ループ電力制御パラメータのセットを選択することと、
前記第１のＵＥによって、開ループ電力制御パラメータの前記選択されたセットに基づく電力を用いて前記ワイヤレスチャネル上で送信することと
を行うためのコードを備える、コンピュータ可読媒体。
【発明の詳細な説明】
【関連出願の相互参照】
【０００１】
[0001]  本出願は、その全体が参照により本明細書に明確に組み込まれる、２０１５年９月１日に出願された「METHOD AND APPARATUS FOR POWER CONTROL IN D2D/WAN COEXISTENCE NETWORKS」と題する米国特許出願第１４／８４２，１９４号の利益を主張する。
【技術分野】
【０００２】
[0002]  本開示は、一般に通信システムに関し、より詳細には、デバイスツーデバイスおよびワイヤレスワイドエリアネットワークのネットワークにおける共存のための電力制御機構に関する。
【背景技術】
【０００３】
[0003]  ワイヤレス通信システムは、電話、ビデオ、データ、メッセージング、およびブロードキャストのような、様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上でＯＦＤＭＡを使用し、アップリンク（ＵＬ）上でＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、方法、コンピュータ可読媒体、および装置が提供される。本装置は、メモリと、メモリに結合され、ワイヤレスチャネル上の通信に関連する送信状態を決定するように構成される、少なくとも１つのプロセッサとを含み得る。プロセッサは、送信状態に基づいて開ループ電力制御パラメータの少なくとも２つのセットのうちの開ループ電力制御パラメータのセットを選択するように構成され得る。プロセッサは、開ループ電力制御パラメータの選択されたセットに基づく電力を用いてワイヤレスチャネル上で送信するように構成され得る。本装置は、ユーザ機器（ＵＥ）のような移動局であり得る。開ループ電力制御パラメータは、ノードＢまたは発展型ノードＢ（ｅＮＢ：evolved Node B）のような、基地局から受信され得る。
【０００６】
[0006]  本方法は、ワイヤレスチャネル上の通信に関連する送信状態を決定することと、送信状態に基づいて開ループ電力制御パラメータの少なくとも２つのセットのうちの開ループ電力制御パラメータのセットを選択することと、開ループ電力制御パラメータの選択されたセットに基づく電力を用いてワイヤレスチャネル上で送信することとの動作を含み得る。
【０００７】
[0007]  コンピュータ可読媒体は、ワイヤレスチャネル上の通信に関連する送信状態を決定することと、送信状態に基づいて開ループ電力制御パラメータの少なくとも２つのセットのうちの開ループ電力制御パラメータのセットを選択することと、開ループ電力制御パラメータの選択されたセットに基づく電力を用いてワイヤレスチャネル上で送信することとを行うためのコードを含む、ワイヤレス通信のためのコンピュータ実行可能コードを記憶し得る。他の態様が本明細書で説明され得る。
【図面の簡単な説明】
【０００８】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】デバイスツーデバイス通信システムの図。
【図８】ワイヤレスワイドエリアネットワーク通信システムと共存するデバイスツーデバイス通信システムと、共存するネットワークにおける電力制御のための動作の概念フローとを示す図。
【図９】デバイスツーデバイスおよび／またはワイヤレスワイドエリアネットワークにおける電力制御のための方法を示すフローチャート。
【図１０】例示的な装置中の異なるモジュール／手段／構成要素間のデータフローを示す概念データフロー図。
【図１１】処理システムを採用する装置のためのハードウェア実施形態の一例を示す図。
【発明を実施するための形態】
【０００９】
[0019]  添付の図面とともに以下に記載される詳細な説明は、様々な構成を説明するものであり、本明細書で説明される概念が実施され得る唯一の構成を表すものでない。発明を実施するための形態は、様々な概念の完全な理解を与えるための具体的な詳細を含む。ただし、これらの概念はこれらの具体的な詳細なしに実施され得ることが当業者には明らかであろう。場合によっては、そのような概念を曖昧にすることを回避するために、よく知られている構造および構成要素がブロック図の形態で示される。
【００１０】
[0020]  次に、様々な装置および方法に関して電気通信システムのいくつかの態様が提示される。これらの装置および方法が、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実施され得る。そのような要素がハードウェアとして実施されるかソフトウェアとして実施されるかは、特定の適用例および全体的なシステムに課される設計制約に依存する。
【００１１】
[0021]  例として、要素、または要素の任意の部分、または要素の任意の組合せは、１つまたは複数のプロセッサを含む「処理システム」を用いて実施され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明された様々な機能を行うように構成される他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0022]  従って、１つまたは複数の例示的な態様において、説明される機能は、ハードウェア、ソフトウェア、ファームウェア、またはそれらの任意の組合せで実施され得る。ソフトウェアで実施される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を含むことができる。
【００１３】
[0023]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続できるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１４】
[0024]  Ｅ−ＵＴＲＡＮは、発展型ノードＢ（ｅＮＢ）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（例えば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（例えば、変調およびコーディング方式（ＭＣＳ：modulation and coding scheme））を決定する。ＭＣＥ１２８は、別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１５】
[0025]  ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。全てのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（例えば、１０６、１０８）にＭＢＭＳトラフィックを配信するために使用され得、セッション管理（開始／停止）と、ｅＭＢＭＳ関係の課金情報を集めることとを担当し得る。
【００１６】
[0026]  図２は、ＬＴＥネットワークアーキテクチャにおけるアクセスネットワーク２００の一例を示す図である。この例において、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ：home eNB））、ピコセル、マイクロセル、またはリモートラジオヘッド（ＲＲＨ：remote radio head）であり得る。マクロｅＮＢ２０４はそれぞれ、それぞれのセル２０２に割り当てられ、セル２０２中の全てのＵＥ２０６にＥＰＣ１１０へのアクセスポイントを与えるように構成される。アクセスネットワーク２００のこの例には集中型コントローラがないが、代替構成では集中型コントローラが使用され得る。ｅＮＢ２０４は、無線ベアラ制御、承認制御、モビリティ制御、スケジューリング、セキュリティ、およびサービス用ゲートウェイ１１６への接続性を含む、全ての無線関係機能を担当する。ｅＮＢは１つまたは複数の（例えば、３つの）（セクタとも呼ばれる）セルをサポートし得る。「セル」という用語は、ｅＮＢの最小カバレージエリア、および／または特定のカバレージエリアをサービスするｅＮＢサブシステムを指すことがある。さらに、「ｅＮＢ」、「基地局」、および「セル」という用語は、本明細書において同義で使用され得る。
【００１７】
[0027]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者が以下の詳細な説明から容易に理解するように、本明細書で提示される様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡのようなＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス
通信規格および多元接続技術は、特定の適用例およびシステムに課される全体的な設計制約に依存することになる。
【００１８】
[0028]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間領域を活用することを可能にする。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これは、（１つまたは複数の）ＵＥ２０６の各々がそのＵＥ２０６に宛てられた１つまたは複数のデータストリームを復元することを可能にする。ＵＬ上で、各ＵＥ２０６は、空間的にプリコーディングされたデータストリームを送信し、これは、ｅＮＢ２０４が、各空間的にプリコーディングされたデータストリームのソースを識別することを可能にする。
【００１９】
[0029]  空間多重化は、概して、チャネル状態が良好であるときに使用される。チャネル状態があまり好ましくないとき、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２０】
[0030]  以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内のいくつかのサブキャリアを介してデータを変調するスペクトラム拡散（spread-spectrum）技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（例えば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２１】
[0031]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックが、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。従って、ＵＥが受信するリソースブロックが多いほど、また変調方式が高いほど、ＵＥのデータレートは高くなる。
【００２２】
[0032]  図４は、ＬＴＥにおけるＵＬフレーム構造の一例を示す図４００である。ＵＬのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれない全てのリソースブロックを含み得る。ＵＬフレーム構造は、単一のＵＥがデータセクション中の連続サブキャリアの全てを割り当てられることを可能にし得る、連続サブキャリアを含むデータセクションを生じる。
【００２３】
[0033]  ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２４】
[0034]  初期システムアクセスを行い、物理ランダムアクセスチャネル（ＰＲＡＣＨ：physical random access channel）４３０においてＵＬ同期を達成するために、リソースブロックのセットが使用され得る。ＰＲＡＣＨ４３０は、ランダムシーケンスを搬送し、いかなるＵＬデータ／シグナリングをも搬送できない。各ランダムアクセスプリアンブルは、６つの連続するリソースブロックに対応する帯域幅を占有する。開始周波数は、ネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みを行うことができる。
【００２５】
[0035]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実施する。Ｌ１レイヤは本明細書において物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００２６】
[0036]  ユーザプレーンにおいて、Ｌ２レイヤ５０８は、ネットワーク側のｅＮＢにおいて終端される、メディアアクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含めてＬ２レイヤ５０８の上にいくつかの上位レイヤを有し得る。
【００２７】
[0037]  ＰＤＣＰサブレイヤ５１４は、異なる無線ベアラと論理チャネルとの間の多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（例えば、リソースブロック）を割り振ることを担当する。ＭＡＣサブレイヤ５１０はまたＨＡＲＱ動作を担当する。
【００２８】
[0038]  制御プレーンにおいて、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（例えば、無線ベアラ）を取得することと、ｅＮＢとＵＥとの間のＲＲＣシグナリングを使用して下位レイヤを構成することとを担当する。
【００２９】
[0039]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実施する。ＤＬにおいて、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作、紛失パケットの再送信、およびＵＥ６５０へのシグナリングを担当する。
【００３０】
[0040]  送信（ＴＸ）プロセッサ６１６は、Ｌ１レイヤ（すなわち、物理レイヤ）のための様々な信号処理機能を実施する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで、並列ストリームに分割される。各ストリームは、次いでＯＦＤＭサブキャリアにマッピングされ、時間領域および／または周波数領域中で基準信号（例えば、パイロット）と多重化され、次いで時間領域ＯＦＤＭシンボルストリームを搬送する物理チャネルを生成するために、逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３１】
[0041]  ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６は、Ｌ１レイヤの様々な信号処理機能を実施する。ＲＸプロセッサ６５６は、ＵＥ６５０に宛てられた任意の空間ストリームを復元するために、情報に対して空間処理を行い得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用しＯＦＤＭシンボルストリームを時間領域から周波数領域に変換する。周波数領域信号は、ＯＦＤＭ信号のサブキャリアごとに別々のＯＦＤＭシンボルストリームを含む。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟決定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００３２】
[0042]  コントローラ／プロセッサ６５９はＬ２レイヤを実施する。コントローラ／プロセッサは、プログラムコードとデータとを記憶するメモリ６６０に関連し得る。メモリ６６０はコンピュータ可読媒体と呼ばれることがある。ＵＬにおいて、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上の全てのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３３】
[0043]  ＵＬでは、データソース６６７が、コントローラ／プロセッサ６５９に上位レイヤパケットを与えるために使用される。データソース６６７はＬ２レイヤの上の全てのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実施する。コントローラ／プロセッサ６５９はまた、ＨＡＲＱ動作、紛失パケットの再送信、およびｅＮＢ６１０へのシグナリングを担当する。
【００３４】
[0044]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３５】
[0045]  ＵＬ送信は、ＵＥ６５０における受信機機能に関して説明された様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に与える。ＲＸプロセッサ６７０はＬ１レイヤを実施し得る。
【００３６】
[0046]  コントローラ／プロセッサ６７５はＬ２レイヤを実施する。コントローラ／プロセッサ６７５は、プログラムコードとデータとを記憶するメモリ６７６に関連し得る。メモリ６７６はコンピュータ可読媒体と呼ばれることがある。ＵＬにおいて、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３７】
[0047]  図７はデバイスツーデバイス通信システム７００の図である。デバイスツーデバイス通信システム７００は複数のワイヤレスデバイス７０４、７０６、７０８、７１０を含む。デバイスツーデバイス通信システム７００は、例えば、ワイヤレスワイドエリアネットワーク（ＷＷＡＮ）のようなセルラー通信システムと重複し得る。ワイヤレスデバイス７０４、７０６、７０８、７１０の一部は、ＤＬ／ＵＬ  ＷＷＡＮスペクトルを使用してデバイスツーデバイス通信において互いに通信し得、一部は基地局７０２と通信し得、一部は両方を行い得る。例えば、図７に示されているように、ワイヤレスデバイス７０８、７１０はデバイスツーデバイス通信中であり、ワイヤレスデバイス７０４、７０６はデバイスツーデバイス通信中である。ワイヤレスデバイス７０４、７０６はまた、基地局７０２と通信している。
【００３８】
[0048]  以下で説明される例示的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づく、例えばワイヤレスデバイスツーデバイス通信システムのような、様々なワイヤレスデバイスツーデバイス通信システムのいずれにも適用可能である。説明を簡略化するために、例示的な方法および装置がＬＴＥのコンテキスト内で説明される。ただし、例示的な方法および装置は、様々な他のワイヤレスデバイスツーデバイス通信システムにより一般的に適用可能であることを当業者は理解されよう。
【００３９】
[0049]  図８は、ＷＷＡＮと共存するデバイスツーデバイス（Ｄ２Ｄ）ネットワークを有する通信システム８００を示す図である。ＷＷＡＮネットワークは、限定はしないが、基地局８０２と、移動局、ＵＥなどとしても知られ得る第１のワイヤレスデバイス８０６とを含む。基地局８０２は、第１のワイヤレスデバイス８０６がその上で動作し得るセル８０４を与え得る。そのように行うことで、基地局８０２およびワイヤレスデバイス８０６は、ＤＬ／ＵＬ  ＷＷＡＮスペクトルを使用して互いに通信し得る。一態様において、基地局８０２は、ワイヤレスデバイス８０６がアップリンク信号８２０をその上で送信すべきであるリソースを構成する。例えば、基地局８０２は、ユーザデータをＰＵＳＣＨに対応するリソース上のアップリンク信号８２０中で、ワイヤレスデバイス８０６によって送信されるようにスケジュールするために、物理ダウンリンク制御チャネル（ＰＤＣＣＨ）に対応するリソース上でダウンリンク信号８２２を送信し得る。
【００４０】
[0050]  Ｄ２Ｄネットワークは、限定はしないが、それらのうちの少なくとも１つが移動局、ＵＥなどとしても知られ得る、複数のワイヤレスデバイス８１４、８１６を含む。ワイヤレスデバイス８１４、８１６は、Ｄ２Ｄネットワークの少なくとも一部を形成し得る。Ｄ２Ｄネットワークは、ワイヤレスデバイス８１４、８１６がその上で動作し得るセル８１２を基地局８１０が与える、ＷＷＡＮのようなセルラー通信システムと重複し得る。しかしながら、基地局８１０は、ワイヤレスデバイス８１４、８１６がセル上で動作していない（例えば、ワイヤレスデバイス８１４、８１６がカバレージエリア外にあり得る）場合のような、いくつかの態様において不在であり得る。ワイヤレスデバイス８１４、８１６は、ＤＬ／ＵＬ  ＷＷＡＮスペクトルまたは別のスペクトル（例えば、無認可スペクトル）を使用してＤ２Ｄ通信において互いに通信し得る。一態様において、基地局８１０は、ワイヤレスデバイス８１４、８１６がＤ２Ｄネットワークにおいてその上で通信すべきであるリソースを構成する。
【００４１】
[0051]  ワイヤレスデバイス８１４とワイヤレスデバイス８１６との間のＤ２Ｄ通信は、ワイヤレスデバイス８１４とワイヤレスデバイス８１６との間の発見プロセスを含み得る。例えば、広告ワイヤレスデバイス８１４は、発見信号をブロードキャストし得、発見信号が検出されると、例えば、広告ワイヤレスデバイス８１４と監視ワイヤレスデバイス８１６との間のＤ２Ｄ通信の促進のためのタイミング情報を同期および／または確立するために、監視ワイヤレスデバイス８１６が、広告ワイヤレスデバイス８１４への応答を送信し得る。
【００４２】
[0052]  通信システム８００におけるＤ２ＤネットワークとＷＷＡＮとの共存の場合、ワイヤレスデバイス８０６、８１４、８１６のうちの１つまたは複数による適応電力制御が、ワイヤレスデバイス８０６、８１４、８１６のうちの別の１つおよび／または基地局８０２、８１０のうちの１つへの干渉を緩和し得る。一例では、Ｄ２Ｄ送信が、例えば、ネイバリングセル８１２において、第２のワイヤレスデバイス８１４と第３のワイヤレスデバイス８１６との間で行われているとき、第１のワイヤレスデバイス８０６が、基地局８０２にアップリンク信号８２０を送信する場合、セル間干渉が生じ得る。すなわち、アップリンク信号８２０は、第２のワイヤレスデバイス８１４と第３のワイヤレスデバイス８１６との間で通信されるＤ２Ｄ信号８２６（例えば、発見信号）に干渉８２４をもたらし得る。従って、アップリンク信号８２０は、ワイヤレスデバイス８１４への干渉８２４を生じ得る。同様に、Ｄ２Ｄ信号８２６は、ワイヤレスデバイス８０６と基地局８０２との間のアップリンク信号８２０に干渉８２８をもたらし得る。従って、Ｄ２Ｄ信号８２６は、基地局８０２への干渉８２８を生じ得る。同様に、Ｄ２Ｄ信号８２６は、ワイヤレスデバイス８０６と基地局８０２との間のダウンリンク信号８２２に干渉８３０をもたらし得る。従って、Ｄ２Ｄ信号８２６は、第１のワイヤレスデバイス８０６への干渉８３０を生じ得る。
【００４３】
[0053]  例示的な態様では、Ｄ２Ｄ信号８２６のために構成される同じサブフレームの１つまたは複数のリソースが、アップリンク信号８２０のために構成されるリソースと重複し得る。例えば、アップリンク信号８２０は、ＰＵＣＣＨ／ＰＵＳＣＨに対応するリソース上で搬送され得、同時に、Ｄ２Ｄ信号８２６は、ネイバリングセル８０４中のＰＵＣＣＨ／ＰＵＳＣＨと重複するリソース上で搬送され得る。アップリンク信号８２０が送信される第１のセル８０４の境界に、第２のワイヤレスデバイス８１４が近接したとき、第１のワイヤレスデバイス８０６のアップリンク信号８２０は、第２のワイヤレスデバイス８１４と第３のワイヤレスデバイス８１６との間で通信されるＤ２Ｄ信号８２６に干渉８２４をもたらし得、その結果、送信ワイヤレスデバイス（例えば、第３のワイヤレスデバイス８１６）から受信ワイヤレスデバイス（例えば、第２のワイヤレスデバイス８１４）へのデータの損失を生じ得る。同様に、アップリンク信号８２０が、Ｄ２Ｄ信号８２６を搬送するリソースと重複するリソース上で送信されるとき、第２のワイヤレスデバイス８１４と第３のワイヤレスデバイス８１６との間で通信されるＤ２Ｄ信号８２６は、第１のワイヤレスデバイス８０６と基地局８０２との間で通信されるアップリンク信号８２０に干渉８２８をもたらし得る。また、ダウンリンク信号８２２が、Ｄ２Ｄ信号８２６を搬送するリソースと重複するリソース（例えば、物理ダウンリンク制御チャネル（ＰＤＣＣＨ）および／または物理ダウンリンク共有チャネル（ＰＤＳＣＨ））上で送信されるとき、第２のワイヤレスデバイス８１４と第３のワイヤレスデバイス８１６との間で通信されるＤ２Ｄ信号８２６は、第１のワイヤレスデバイス８０６と基地局８０２との間で通信されるダウンリンク信号８２２に干渉８３０をもたらし得る。
【００４４】
[0054]  干渉を緩和するために、ワイヤレスデバイス８０６、８１４、８１６のうちの１つまたは複数は、それぞれの送信信号８２０、８２６の送信電力を制御するように構成され得る。送信電力制御は、他のワイヤレスデバイスへの干渉の最小化とともに、必要とされるサービス品質（ＱｏＳ）に対応するリンク品質を維持するために、ビット当たりの十分な送信エネルギーための要求のバランスをとり得る。本明細書で開示される送信の電力制御の手法は、（１つまたは複数の）サブフレームおよび／または（１つまたは複数の）サブキャリアにおいて生じる干渉を緩和し得、通信システム８００がＴＤＤネットワークまたはＦＤＤネットワークである態様に適用可能であり得る。
【００４５】
[0055]  態様によれば、ワイヤレスデバイス８０６、８１４、８１６の各々は、電力制御アルゴリズムに基づいてそれのそれぞれの送信電力を制御する。ワイヤレスデバイス８０６、８１４、８１６のうちの１つは、電力制御アルゴリズムに関連する複数のパラメータに基づいて、それのそれぞれの送信電力を制御するために少なくとも１つの値を算出する。電力制御アルゴリズムは、１つまたは複数の３ＧＰＰ技術仕様のような、ＷＷＡＮおよび／またはＤ２Ｄ通信に関連する１つまたは複数の規格によって定義され得る。第１のワイヤレスデバイス８０６は、ＷＷＡＮ通信のための電力制御アルゴリズムを利用し得、通信のタイプ（例えば、データまたは制御）および／またはワイヤレスチャネルのタイプに応じて異なる電力制御アルゴリズムを事実上利用し得る。同様に、第２のワイヤレスデバイス８１４および第３のワイヤレスデバイス８１６は、Ｄ２Ｄ通信のための電力制御アルゴリズムを利用し得、通信のタイプ（例えば、データまたは制御）および／またはワイヤレスチャネルのタイプに応じて異なる電力制御アルゴリズムを利用し得る。第１のワイヤレスデバイス８０６は、第２のワイヤレスデバイス８１４および第３のワイヤレスデバイス８１６に関して本明細書で説明されるＤ２Ｄ動作が可能であり得、同様に、第２のワイヤレスデバイス８１４および／または第３のワイヤレスデバイス８１６は、第１のワイヤレスデバイス８０６に関して本明細書で説明されるＷＷＡＮ動作が可能であり得ることを諒解されたい。
【００４６】
[0056]  閉ループパラメータは、ワイヤレスデバイス８０６、８１４、８１６のうちの少なくとも１つによって採用される電力制御方式に関連し得るが、閉ループフィードバックが、ワイヤレスデバイス８０６、８１４、８１６のうちの１つが、それ自体のそれぞれの電力設定を推定し、それぞれの電力設定が不十分であることを発見する状況を補償し得、従って、閉ループパラメータは、本開示の電力制御機構によって考慮されない。
【００４７】
[0057]  本開示の電力制御方式では、ワイヤレスデバイス８０６、８１４、８１６のうちの少なくとも１つが、複数の開ループ電力制御パラメータに基づいてそれぞれの送信電力を制御し得る。これらの開ループ電力制御パラメータのうちの第１は半静的ベース電力レベルＰ0であり得、これらの開ループ電力制御パラメータのうちの第２は経路損失補償成分αであり得る。様々な態様によれば、半静的ベース電力レベルＰ0は、ワイヤレスデバイス８０６、８１４、８１６の各々に固有であるか、またはワイヤレスデバイス８０６、８１４、８１６がセル８０４、８１２のうちの１つに固有であるかのいずれかであり得るが、経路損失補償成分αは、ワイヤレスデバイス８０６、８１４、８１６の各々に固有であり得る。他の態様では、ワイヤレスデバイス８０６、８１４、８１６のうちの少なくとも１つが、異なるおよび／または追加の開ループ電力制御パラメータに基づいて、それのそれぞれの送信電力を制御し得、従って、Ｐ0およびαは例示的と見なされる。
【００４８】
[0058]  一態様によれば、開ループ電力制御パラメータのセットのうちの１つまたは複数は、ワイヤレスデバイス８０６、８１４、８１６にシグナリングされ得る。例えば、第１の基地局８０２は、システム情報ブロック（ＳＩＢ：System Information Block）、ＲＲＣシグナリング、または他の専用シグナリングを使用して、開ループ電力制御パラメータの１つまたは複数のセットを第１のワイヤレスデバイス８０６にシグナリングし得る。同様に、第２の基地局８１０は、開ループ電力制御パラメータのセットのうちの１つまたは複数を第２のワイヤレスデバイス８１４および第３のワイヤレスデバイス８１６にシグナリングし得る。
【００４９】
[0059]  一態様では、ワイヤレスデバイス８０６、８１４、８１６のうちの少なくとも１つが、開ループ電力制御パラメータの２つの異なるセット、例えば［Ｐ0、α］0および［Ｐ0、α］1を有し得る。開ループ電力制御パラメータの２つのセット［Ｐ0、α］0および［Ｐ0、α］1は、ワイヤレスデバイス８０６、８１４、８１６のうちの少なくとも１つによるワイヤレスチャネル上の送信に関連する少なくとも１つの送信状態に基づいて、ワイヤレスデバイス８０６、８１４、８１６のうちの少なくとも１つによって採用され得る。様々な態様では、開ループ電力制御パラメータの１つまたは複数のセットが、互いに共通の１つまたは複数の値を有し得る。
【００５０】
[0060]  開ループ電力制御パラメータの少なくとも１つのセット（例えば、［Ｐ0、α］0）は、干渉が適応電力制御を必要としない、送信状態のための開ループ電力制御パラメータのセットと見なされ得る。開ループ電力制御パラメータのこの第１のセット（例えば、［Ｐ0、α］0）は、開ループ電力制御パラメータのデフォルトセットと見なされ得る。例えば、第１のワイヤレスデバイス８０６がその上で通信すべきであるリソースが、第２のワイヤレスデバイス８１４および第３のワイヤレスデバイス８１６がその上で通信すべきであるリソースと重複しないとき、第１のワイヤレスデバイス８０６は、そのような、開ループ電力制御パラメータの第１のセットを使用し得る。
【００５１】
[0061]  様々な態様によれば、ワイヤレスデバイス８０６、８１４、８１６のうちの少なくとも１つが、干渉の可能性が低いおよび／または干渉がわずかであることを示す送信状態を検出した場合、ワイヤレスデバイス８０６、８１４、８１６のうちのその１つによって開ループ電力制御パラメータの第１のセット（例えば、［Ｐ0、α］0）が採用され得る。例えば、第１のワイヤレスデバイス８０６は、アップリンク送信および／またはダウンリンク送信のために割り振られたリソースが、Ｄ２Ｄ信号８２６のような、Ｄ２Ｄ通信のために割り振られたリソースと同時でない／重複していないという指示に基づいて、送信状態を決定し得る。第１のワイヤレスデバイス８０６は、この指示を、（バックホールおよび／またはＸ２インターフェースを通してネイバリング基地局８１０からリソースおよび／またはサブフレーム割振り情報を受信し得る）基地局８０２などから受信し得る。
【００５２】
[0062]  一態様において、第１のワイヤレスデバイス８０６は、例えば、第１のワイヤレスデバイス８０６が送信および／または受信していないときの未使用リソース（例えば、オープンサブフレーム）中に、干渉について検出することによって送信状態を決定し得る。第１のワイヤレスデバイス８０６が干渉８３０を検出しない場合、第１のワイヤレスデバイス８０６は、開ループ電力制御パラメータの第１のセット［Ｐ0、α］0（例えば、開ループ電力制御パラメータのデフォルトセット）を選択するために、選択動作８３２を実行し得る。従って、第１のワイヤレスデバイス８０６は、基地局８０２へのアップリンク信号８２０の送信のための電力を算出するために、開ループ電力制御パラメータの選択された第１のセット［Ｐ0、α］0を使用し得る。
【００５３】
[0063]  別の態様において、第１のワイヤレスデバイス８０６は、干渉８３０を検出し、干渉８３０のエネルギー（または電力）を測定し得る。第１のワイヤレスデバイス８０６は、測定されたエネルギーをしきい値と比較し得、測定されたエネルギーがしきい値を満たさないかまたは超えない場合、第１のワイヤレスデバイス８０６は、開ループ電力制御パラメータの第１のセット［Ｐ0、α］0（例えば、開ループ電力制御パラメータのデフォルトセット）を選択するために、選択動作８３２を行い得る。従って、第１のワイヤレスデバイス８０６は、基地局８０２へのアップリンク信号８２０の送信のための電力を算出するために、開ループ電力制御パラメータの選択された第１のセット［Ｐ0、α］0を使用し得る。
【００５４】
[0064]  しかしながら、第１のワイヤレスデバイス８０６が、測定されたエネルギーがしきい値を超える（または、代替構成において、しきい値を満たす）と決定した場合、第１のワイヤレスデバイス８０６は、送信状態が、開ループ電力制御パラメータの第２のセット［Ｐ0、α］1が基地局８０２へのアップリンク信号８２０の送信のための電力を算出するために使用されることを必要とすると決定し得る。従って、第１のワイヤレスデバイス８０６は、開ループ電力制御パラメータの第２のセット［Ｐ0、α］1を選択するために、選択動作８３２を行い得る。従って、第１のワイヤレスデバイス８０６は、基地局８０２へのアップリンク信号８２０の送信のための電力を算出するために、開ループ電力制御パラメータの選択された第２のセット［Ｐ0、α］1を使用し得る。
【００５５】
[0065]  同様に、第２のワイヤレスデバイス８１４は、例えば、第２のワイヤレスデバイス８１４が送信および／または受信していないときの未使用リソース（例えば、オープンサブフレーム）中に、干渉について検出することによって送信状態を決定し得る。第２のワイヤレスデバイス８１４が干渉８２４を検出しない場合、第２のワイヤレスデバイス８１４は、開ループ電力制御パラメータの第１のセット［Ｐ0、α］0（例えば、開ループ電力制御パラメータのデフォルトセット）を選択するために、選択動作８３４を行い得る。従って、第２のワイヤレスデバイス８１４は、Ｄ２Ｄ信号８２６の送信のための電力を算出するために、開ループ電力制御パラメータの選択された第１のセット［Ｐ0、α］0を使用し得る。
【００５６】
[0066]  別の態様において、第２のワイヤレスデバイス８１４は、干渉８２４を検出し、干渉８２４のエネルギー（または電力）を測定し得る。第２のワイヤレスデバイス８１４は、測定されたエネルギーをしきい値と比較し得、測定されたエネルギーがしきい値を満たさないかまたは超えない場合、第２のワイヤレスデバイス８１４は、開ループ電力制御パラメータの第１のセット［Ｐ0、α］0（例えば、開ループ電力制御パラメータのデフォルトセット）を選択するために、選択動作８３４を行い得る。従って、第２のワイヤレスデバイス８１４は、Ｄ２Ｄ信号８２６の送信のための電力を算出するために、開ループ電力制御パラメータの選択された第１のセット［Ｐ0、α］0を使用し得る。
【００５７】
[0067]  しかしながら、第２のワイヤレスデバイス８１４が、測定されたエネルギーがしきい値を超える（または、代替構成において、しきい値を満たす）と決定した場合、第２のワイヤレスデバイス８１４は、送信状態が、開ループ電力制御パラメータの第２のセット［Ｐ0、α］1がＤ２Ｄ信号８２６の送信のための電力を算出するために使用されることを必要とすると決定し得る。従って、第２のワイヤレスデバイス８１４は、開ループ電力制御パラメータの第２のセット［Ｐ0、α］1を選択するために、選択動作８３４を行い得る。従って、第２のワイヤレスデバイス８１４は、Ｄ２Ｄ信号８２６の送信のための電力を算出するために、開ループ電力制御パラメータの選択された第２のセット［Ｐ0、α］1を使用し得る。
【００５８】
[0068]  様々な態様によれば、第３のワイヤレスデバイス８１６は、第２のワイヤレスデバイス８１４に関して説明された様式と同様の様式で、開ループ電力制御パラメータの第１のセット［Ｐ0、α］0（例えば、開ループ電力制御パラメータのデフォルトセット）を選択し得る。例えば、第３のワイヤレスデバイス８１６は、干渉８２４のエネルギーを測定することと、測定されたエネルギーをしきい値と比較することとに基づいて、送信状態を検出し得る。
【００５９】
[0069]  ワイヤレスデバイス８０６、８１４、８１６のうちの少なくとも１つが、開ループ電力制御パラメータの複数のセット、例えば［Ｐ0、α］0、…、［Ｐ0、α］Nを有し得、ここで、Ｎは、１よりも大きいかまたはそれに等しい。開ループ電力制御パラメータの各セット［Ｐ0、α］0、…、［Ｐ0、α］Nは、ワイヤレスデバイス８０６、８１４、８１６のうちの少なくとも１つによるワイヤレスチャネル上の送信に関連する少なくとも１つの送信状態に基づいて、ワイヤレスデバイス８０６、８１４、８１６のうちの少なくとも１つによって採用され得る。
【００６０】
[0070]  例えば、ワイヤレスデバイス８０６、８１４、８１６のうちの１つが別の信号への干渉を引き起こす可能性がある送信状態の場合、ワイヤレスデバイス８０６、８１４、８１６のうちの少なくとも１つによって開ループ電力制御パラメータの第２のセット（例えば、［Ｐ0、α］1）が採用され得る。一態様において、開ループ電力制御パラメータの第２のセットは、ワイヤレスデバイス８０６、８１４、８１６のうちの１つが送信電力を低減することを引き起こし得る。
【００６１】
[0071]  代替的にまたは第２のセットに加えて、ワイヤレスデバイス８０６、８１４、８１６のうちの１つが、開ループ電力制御パラメータの第３のセット（例えば、［Ｐ0、α］2）を有し得る。開ループ電力制御パラメータの第３のセットは、ワイヤレスデバイス８０６、８１４、８１６のうちの１つによって送信された信号の受信側（例えば、基地局８０２、第２のワイヤレスデバイス８１４、または第３のワイヤレスデバイス８１６）が干渉を経験する可能性がある送信状態の場合、ワイヤレスデバイス８０６、８１４、８１６のうちの少なくとも１つによって採用され得る。例えば、開ループ電力制御パラメータの第３のセットは、ワイヤレスデバイス８０６、８１４、８１６のうちの１つが送信電力を増加させることを引き起こし得る。
【００６２】
[0072]  例として、第１のワイヤレスデバイス８０６は、アップリンク送信のために割り振られたリソースが、Ｄ２Ｄ通信のために割り振られたリソースと重複し得るという指示に基づいて、第１のワイヤレスデバイス８０６が、第２のワイヤレスデバイス８１４と第３のワイヤレスデバイス８１６との間のＤ２Ｄ通信（例えば、Ｄ２Ｄ発見）への干渉を引き起こし得ると決定し得る。第１のワイヤレスデバイス８０６は、この指示を、（バックホールおよび／またはＸ２インターフェースを通してネイバリング基地局８１０からリソースおよび／またはサブフレーム割振り情報を受信し得る）基地局８０２などから受信し得る。
【００６３】
[0073]  一態様において、第１のワイヤレスデバイス８０６は、例えば、第１のワイヤレスデバイス８０６が送信および／または受信していないときの未使用リソース（例えば、オープンサブフレーム）中に干渉について検出し得る。第１のワイヤレスデバイス８０６が干渉８３０を検出した場合、第１のワイヤレスデバイス８０６は、干渉８３０のエネルギーを測定し、測定されたエネルギーをしきい値と比較し得る。
【００６４】
[0074]  比較に基づいて、第１のワイヤレスデバイス８０６は、第２のワイヤレスデバイス８１４が検出し得るＤ２Ｄ発見信号を、第３のワイヤレスデバイス８１６がブロードキャストするときなど、第１のワイヤレスデバイス８０６がＤ２Ｄ信号８２６への干渉を引き起こし得る、送信状態を決定し得る。例えば、Ｄ２Ｄ信号８２６からの干渉８３０のエネルギーが、しきい値を満たすかまたは超えたとき、第１のワイヤレスデバイス８０６は、アップリンク信号８２０が、第３のワイヤレスデバイス８１６からＤ２Ｄ信号８２６を受信するときの第２のワイヤレスデバイス８１４への干渉８２４をおそらく引き起こすことになると決定し得る。それに応じて、第１のワイヤレスデバイス８０６は、そこに記憶された開ループ電力制御パラメータのセット（例えば、デフォルトセット［Ｐ0、α］0とは異なる第２のセット［Ｐ0、α］1）を選択するために、選択動作８３２を行い得る。従って、第１のワイヤレスデバイス８０６は、第２のワイヤレスデバイス８１４への干渉８２４を緩和するために、開ループ電力制御パラメータの選択されたセットを使用して、低減された送信電力を算出し得、低減された送信電力を用いてアップリンク信号８２０を送信し得る。
【００６５】
[0075]  本開示の態様は、干渉８２８、８３０についてＤ２Ｄ信号８２６から発生するものとして説明するが、干渉がネイバリングセル８１２中のＷＷＡＮ信号から検出されたとき、同様の動作が第１のワイヤレスデバイス８０６によって行われ得ることを理解されたい。例えば、第１のワイヤレスデバイス８０６からアップリンク信号８２０を搬送するリソースは、ネイバリングセル８１２中で第２のワイヤレスデバイス８１４からネイバリング基地局８１０にアップリンク信号を搬送するリソースと重複し得、第１のワイヤレスデバイス８０６は、この送信状態を検出し、ネイバリングセル８１２中のアップリンク信号からの干渉を緩和するために選択動作８３２を行い得る。
【００６６】
[0076]  別の例示的な態様において、第２のワイヤレスデバイス８１４は、Ｄ２Ｄ通信のために割り振られたリソースが、ネイバリングセル８０４中のアップリンク信号８２０および／またはダウンリンク信号８２２のような、アップリンク送信および／またはダウンリンク送信のために割り振られたリソースと重複し得るという指示に基づいて、Ｄ２Ｄ信号８２６が、第１のワイヤレスデバイス８０６への干渉８３０を引き起こし得、および／または基地局８０２への干渉８２８を引き起こし得ると決定し得る。第２のワイヤレスデバイス８１４は、この指示を、（バックホールおよび／またはＸ２インターフェースを通してネイバリング基地局８０２からリソースおよび／またはサブフレーム割振り情報を受信し得る）基地局８１０などから受信し得る。
【００６７】
[0077]  一態様において、第２のワイヤレスデバイス８１４は、例えば、第２のワイヤレスデバイス８１４が送信および／または受信していないときの未使用リソース（例えば、オープンサブフレーム）中に干渉について検出し得る。第２のワイヤレスデバイス８１４が干渉８２４を検出した場合、第２のワイヤレスデバイス８１４は、干渉８２４のエネルギーを測定し、測定されたエネルギーをしきい値と比較し得る。
【００６８】
[0078]  測定されたエネルギーとしきい値との比較に基づいて、第２のワイヤレスデバイス８１４は、Ｄ２Ｄ信号８２６が、ネイバリングセル８０４の第１のワイヤレスデバイス８０６および／または基地局８０２のような、受信機と干渉し得る送信状態を決定し得る。アップリンク信号８２０および／またはダウンリンク信号８２２からの干渉８２４の測定されたエネルギーがしきい値を満たすかまたは超えるとき、第２のワイヤレスデバイス８１４は、Ｄ２Ｄ信号８２６が、ダウンリンク信号８２２を受信するときの第１のワイヤレスデバイス８０６への干渉８３０をおそらく引き起こすことになり、および／またはアップリンク信号８２０を受信するときの基地局８０２への干渉８２８をおそらく引き起こすことになると決定し得る。決定された送信状態に応じて、第２のワイヤレスデバイス８１４は、開ループ電力制御パラメータのセット（例えば、デフォルトセット［Ｐ0、α］0とは異なる第２のセット［Ｐ0、α］1）を選択するために、選択動作８３４を行い得る。開ループ電力制御パラメータの選択されたセットは、受信機（例えば、第１のワイヤレスデバイス８０６および／または基地局８０２）への干渉を緩和するために、Ｄ２Ｄ信号８２６の送信電力を減少させ得る。従って、第２のワイヤレスデバイス８１４は、開ループ電力制御パラメータの選択されたセットを使用して、低減された送信電力を算出し得、減少された送信電力を用いてＤ２Ｄ信号８２６を送信し得る。
【００６９】
[0079]  別の例示的な態様において、第３のワイヤレスデバイス８１６は、Ｄ２Ｄ通信のために割り振られたリソースが、ネイバリングセル８０４中のアップリンク信号８２０および／またはダウンリンク信号８２２のような、アップリンク送信および／またはダウンリンク送信のために割り振られたリソースと重複し得るという指示に基づいて、第３のワイヤレスデバイス８１６によって送信されたＤ２Ｄ信号８２６（例えば、Ｄ２Ｄ発見信号）が、受信側（例えば、第２のワイヤレスデバイス８１４）における干渉を経験し得ると決定し得る。第３のワイヤレスデバイス８１６は、この指示を、（バックホールおよび／またはＸ２インターフェースを通してネイバリング基地局８０２からリソースおよび／またはサブフレーム割振り情報を受信し得る）基地局８１０などから受信し得る。
【００７０】
[0080]  一態様において、第３のワイヤレスデバイス８１６は、例えば、第３のワイヤレスデバイス８１６が送信および／または受信していないときの未使用リソース（例えば、オープンサブフレーム）中に干渉について検出し得る。第３のワイヤレスデバイス８１６が干渉８２４を検出した場合、第３のワイヤレスデバイス８１６は、干渉８２４のエネルギーを測定し、測定されたエネルギーをしきい値と比較し得る。
【００７１】
[0081]  測定されたエネルギーとしきい値との比較に基づいて、第３のワイヤレスデバイス８１６は、受信側（例えば、第２のワイヤレスデバイス８１４）が、Ｄ２Ｄ信号８２６を受信するときに干渉を経験し得る送信状態を決定し得る。例えば、干渉８２４は、第３のワイヤレスデバイス８１６のＤ２Ｄ発見を防ぎ得る。決定された送信状態に応じて、第３のワイヤレスデバイス８１６は、開ループ電力制御パラメータのセット（例えば、デフォルトセット［Ｐ0、α］0とは異なる第２のセット［Ｐ0、α］1）を選択するために、選択動作８３６を行い得る。開ループ電力制御パラメータの選択されたセットは、（例えば、第２のワイヤレスデバイス８１４がＤ２Ｄ発見信号を監視しているとき）第２のワイヤレスデバイス８１４によるＤ２Ｄ信号８２６の受信および／または復号を改善するために、Ｄ２Ｄ信号８２６の送信電力を増加させ得る。従って、第３のワイヤレスデバイス８１６は、開ループ電力制御パラメータの選択されたセットを使用して、増加された送信電力を算出し得、増加された送信電力を用いてＤ２Ｄ信号８２６を送信し得る。
【００７２】
[0082]  本開示の態様は、干渉８２４についてＷＷＡＮにおけるアップリンク信号８２０および／またはダウンリンク信号８２２から発生するものとして説明するが、干渉がネイバリングセル８０４中のＤ２Ｄ信号のようなＤ２Ｄ信号から検出されたとき、同様の動作が第２のワイヤレスデバイス８１４および／または第３のワイヤレスデバイス８１６によって行われ得ることを理解されたい。例えば、Ｄ２Ｄ信号８２６を搬送するリソースは、第１のワイヤレスデバイス８０６からの別のＤ２Ｄ信号を搬送するリソースと重複し得、第２のワイヤレスデバイス８１４は、この送信状態を検出し、他のＤ２Ｄ信号からの干渉を緩和するために選択動作８３４を行い得る。
【００７３】
[0083]  様々な態様によれば、それぞれのワイヤレスデバイス８０６、８１４、８１６によって行われる、それぞれの選択動作８３２、８３４、８３６は、検出された干渉の関数であり得る。本開示で説明されるように、ワイヤレスデバイス８０６、８１４、８１６のうちの少なくとも１つが、開ループ電力制御パラメータの複数のセットを有し得る。一態様によれば、それぞれのワイヤレスデバイス８０６、８１４、８１６は、干渉の測定されたエネルギーに対応する、開ループ電力制御パラメータのセットを選択するために、それぞれの選択動作８３２、８３４、８３６を行い得る。実際には、ワイヤレスデバイス８０６、８１４、８１６のうちの少なくとも１つは、送信電力が干渉の測定されたエネルギーに相応するように、送信電力を増分的に調整し得る。
【００７４】
[0084]  例示的な態様では、ワイヤレスデバイス８０６、８１４、８１６のうちの少なくとも１つが、ワイヤレスデバイス８０６、８１４、８１６のうちの１つが、干渉の測定されたエネルギーをそれと比較し得る、複数のしきい値を有し得る。すなわち、ワイヤレスデバイス８０６、８１４、８１６のうちの１つは、第１のしきい値を満たすかまたは超えるが、第２のしきい値を満たさないかまたは超えない、干渉のエネルギーを測定し得る。従って、例えば、ワイヤレスデバイス８０６、８１４、８１６のうちの１つが、送信電力を不十分に増加または減少させないように、ワイヤレスデバイス８０６、８１４、８１６のうちの１つは、測定されたエネルギーに対応する、開ループ電力制御パラメータのセットを選択し得る。
【００７５】
[0085]  例えば、第１のワイヤレスデバイス８０６は、Ｄ２Ｄ信号８２６が第２のワイヤレスデバイス８１４によって送信されるのか、第３のワイヤレスデバイス８１６によって送信されるのかに応じて（例えば、第１のワイヤレスデバイス８０６は、第３のワイヤレスデバイス８１６よりも、第２のワイヤレスデバイス８１４により近いことがある）干渉８３０について異なるエネルギーを測定し得る。上記で説明されたように、第１のワイヤレスデバイス８０６は、干渉８３０のエネルギーを測定し得、測定されたエネルギーをしきい値と比較し得る。とはいえ、さらなる態様において、第１のワイヤレスデバイス８０６は、測定されたエネルギーを複数のしきい値と比較し得る。第１のワイヤレスデバイス８０６が、測定されたエネルギーが第１のしきい値を満たすかまたは超えるが、第２のしきい値を満たさないかまたは超えないと決定した場合、第１のワイヤレスデバイス８０６は、第１のしきい値を満たすかまたは超え、第２のしきい値を満たさないかまたは超えない、測定されたエネルギーに対応する、開ループ電力制御パラメータのセットを選択するために、選択動作８３２を行い得る。従って、第１のワイヤレスデバイス８０６は、基地局８０２へのアップリンク信号８２０の送信のための電力を算出するために、開ループ電力制御パラメータの選択されたセットを使用し得る。例えば、第１のワイヤレスデバイス８０６は、干渉８２４を緩和するために、アップリンク信号８２０の送信のために使用される電力を減少させるが、基地局８０２がアップリンク信号８２０を受信および復号できないレベルまで送信電力を減少させない、開ループ電力制御パラメータのセットを選択し得る。
【００７６】
[0086]  別の例において、第２のワイヤレスデバイス８１４は、アップリンク信号８２０が干渉８２４を引き起こすのか、ダウンリンク信号８２２が干渉８２４を引き起こすのかに応じて、干渉８２４について異なるエネルギーを測定し得る（例えば、第２のワイヤレスデバイス８１４において測定されるとき、第１のワイヤレスデバイス８０６からの信号は、基地局８０２からの信号よりも大きいエネルギーを有し得る）。上記で説明されたように、第２のワイヤレスデバイス８１４は、干渉８２４のエネルギーを測定し得、測定されたエネルギーをしきい値と比較し得る。とはいえ、さらなる態様において、第２のワイヤレスデバイス８１４は、測定されたエネルギーを複数のしきい値と比較し得る。第２のワイヤレスデバイス８１４が、測定されたエネルギーが第１のしきい値を満たすかまたは超えるが、第２のしきい値を満たさないかまたは超えないと決定した場合、第２のワイヤレスデバイス８１４は、第１のしきい値を満たすかまたは超え、第２のしきい値を満たさないかまたは超えない、測定されたエネルギーに対応する、開ループ電力制御パラメータのセットを選択するために、選択動作８３４を行い得る。従って、第２のワイヤレスデバイス８１４は、Ｄ２Ｄ信号８２６の送信のための電力を算出するために、開ループ電力制御パラメータの選択されたセットを使用し得る。例えば、第２のワイヤレスデバイス８１４は、第３のワイヤレスデバイス８１６がＤ２Ｄ信号８２６を受信および復号し得るように、Ｄ２Ｄ信号８２６の送信のために使用される電力を増加させる、開ループ電力制御パラメータのセットを選択し得るが、開ループ電力制御パラメータの選択されたセットは、Ｄ２Ｄ信号８２６がアップリンク信号８２０および／またはダウンリンク信号８２２に容認できないほど干渉することになる程度までの、Ｄ２Ｄ信号８２６のために使用される送信電力の増加を引き起こさないことがある。
【００７７】
[0087]  本開示の態様は、２つのしきい値について説明するが、ワイヤレスデバイス８０６、８１４、８１６のうちの少なくとも１つが、任意の数のしきい値、ならびに開ループ電力制御パラメータの任意の数のセットを有し得ることを理解されたい。例えば、ワイヤレスデバイス８０６、８１４、８１６のうちの少なくとも１つが、開ループ電力制御パラメータのデフォルトセットの選択に対応する第１のしきい値、送信電力のより小さい増加を引き起こす、開ループ電力制御パラメータのセットの選択に対応する第２のしきい値、送信電力のより大きい増加を引き起こす、開ループ電力制御パラメータのセットの選択に対応する第３のしきい値、送信電力のより小さい減少を引き起こす、開ループ電力制御パラメータのセットの選択に対応する第４のしきい値、送信電力のより大きい減少を引き起こす、開ループ電力制御パラメータのセットの選択に対応する第５のしきい値などを有し得る。
【００７８】
[0088]  本開示は、開ループ電力制御パラメータの個別の量を参照し得るが、そのような量は例示的と見なされ、ワイヤレスデバイス８０６、８１４、８１６は、異なる数の開ループ電力制御パラメータを各々有し得、例えば、ワイヤレスデバイス８０６、８１４、８１６の各々は、干渉が適応電力制御を必要としない場合に使用されるべき複数のチャネルのための開ループ電力制御パラメータのセット、ワイヤレスデバイス８０６、８１４、８１６の各々がＷＷＡＮ上で通信しているとき、干渉が適応電力制御を必要とする場合に使用されるべき複数のチャネルのための開ループ電力制御パラメータのセット、ワイヤレスデバイス８０６、８１４、８１６の各々がＤ２Ｄにおいて通信しているとき、干渉が適応電力制御を必要とする場合に使用されるべき複数のチャネルのための開ループ電力制御パラメータのセットなどを有し得る。
【００７９】
[0089]  一態様によれば、ワイヤレスデバイス８０６、８１４、８１６のうちの少なくとも１つが、異なるワイヤレスチャネルに対応するかまたはそれと重複するリソースのために採用されるべき開ループ電力制御パラメータの異なるセットを有し得る。例えば、ワイヤレスデバイス８０６、８１４、８１６のうちの少なくとも１つは、ＰＵＳＣＨに対応するかまたはそれと重複するリソース上で搬送される信号の送信電力を制御するための開ループ電力制御パラメータの第１のセットと、ＰＵＣＣＨに対応するかまたはそれと重複するリソース上で搬送される信号の送信電力を制御するための開ループ電力制御パラメータの第２のセットとを有し得る。
【００８０】
[0090]  一態様において、ＷＷＡＮのワイヤレスデバイス８０６は、ＷＷＡＮ通信に関連する異なるワイヤレスチャネルに対応するかまたはそれと重複するリソースのための開ループ電力制御パラメータの異なるセットを選択し得る。例えば、アップリンク信号８２０が制御信号またはデータ信号である場合、第１のワイヤレスデバイス８０６は、それぞれ、ＰＵＣＣＨに対応するリソース上で制御情報を送信し得、および／またはＰＵＳＣＨに対応するリソース上でデータを送信し得る。第１のワイヤレスデバイス８０６は、ＰＵＣＣＨに対応するリソース上で搬送される信号の送信電力を制御するための開ループ電力制御パラメータの第１のセットと、ＰＵＳＣＨに対応するリソース上で搬送される信号の送信電力を制御するための開ループ電力制御パラメータの第２のセットとを有し得る。
【００８１】
[0091]  別の態様では、Ｄ２Ｄネットワークのワイヤレスデバイス８１４、８１６のうちの少なくとも１つが、Ｄ２Ｄ通信に関連する異なるワイヤレスチャネルに対応するかまたはそれと重複するリソースのための開ループ電力制御パラメータの異なるセットを選択し得る。例えば、Ｄ２Ｄ信号８２６が（例えば、Ｄ２Ｄ発見プロセスに従う）制御信号またはデータ信号である場合、送信デバイス（例えば、第２のワイヤレスデバイス８１４または第３のワイヤレスデバイス８１６）は、それぞれ、物理サイドリンク制御チャネル（ＰＳＣＣＨ）に対応するリソース上で制御情報を送信し得、および／または物理サイドリンク共有チャネル（ＰＳＳＣＨ）に対応するリソース上でデータを送信し得る。Ｄ２Ｄネットワークのワイヤレスデバイス８１４、８１６のうちの少なくとも１つが、ＰＳＣＣＨに対応するリソース上で搬送される信号の送信電力を制御するための開ループ電力制御パラメータの第１のセットと、ＰＳＳＣＨに対応するリソース上で搬送される信号の送信電力を制御するための開ループ電力制御パラメータの第２のセットとを有し得る。
【００８２】
[0092]  図９は、デバイスツーデバイスおよび／またはワイヤレスワイドエリアネットワークにおける電力制御のための方法を示すフローチャート。方法９００は、図８のワイヤレスデバイス８０６、８１４、８１６のうちの１つのような、ワイヤレスデバイスによって行われ得る。
【００８３】
[0093]  図９は動作９０２から始まり得、ワイヤレスデバイスが、ワイヤレスチャネル上の通信に関連する送信状態を決定すべきである。一態様において、ワイヤレスデバイスは、例えば、ネイバリングセルにおいて、他の通信のために使用されるべきリソースの指示を受信し得る。追加の態様において、ワイヤレスデバイスは、例えば、他の通信のために使用されることが示されるそれらのリソース上の干渉について検出し得る。
【００８４】
[0094]  一態様において、動作９０２は動作９０４の一態様を含み得る。動作９０４の一態様において、ワイヤレスデバイスは、ワイヤレスデバイスによる通信が、他の通信とリソースの同じセット上にあるかどうかを決定し得る。例えば、送信状態は、ワイヤレスデバイスとリソースの同じセットを使用する、他のワイヤレスデバイスによって行われるＤ２Ｄ通信に関連し得る。図８のコンテキストでは、第１のワイヤレスデバイス８０６が、ネイバリングセル８１２中のＤ２Ｄ信号８２６のために使用されるべきリソースの指示を受信し得る。
【００８５】
[0095]  動作９０４の別の態様において、送信状態は、ネイバリング基地局のＷＷＡＮリソースの割振りに関連し得る。図８のコンテキストでは、ワイヤレスデバイス８１４、８１６のうちの１つが、ネイバリングセル８０４中のアップリンク信号８２０および／またはダウンリンク信号８２２のために使用されるべきリソースの指示を受信し得る。
【００８６】
[0096]  動作９０２の一態様は動作９０６を含み得る。動作９０６の一態様において、ワイヤレスデバイスは、それが他のワイヤレスデバイスへの干渉を引き起こしているかどうか（または、ワイヤレスデバイスによって送信された信号が干渉され得ること）を決定し得る。動作９０６の一態様において、図８の第１のワイヤレスデバイス８０６は、Ｄ２Ｄ信号８２６からの干渉８３０を検出し得る。例えば、第１のワイヤレスデバイス８０６は、第１のワイヤレスデバイス８０６がその間に送信または受信していない、オープンリソース中に干渉を検出し得る。第１のワイヤレスデバイス８０６は、送信状態を決定するために、検出された干渉のエネルギー（または電力）をしきい値と比較し得る。
【００８７】
[0097]  動作９０６の別の態様では、ワイヤレスデバイス８１４、８１６のうちの１つが、アップリンク信号８２０および／またはダウンリンク信号８２２からの干渉８２４を検出し得る。例えば、ワイヤレスデバイス８１４、８１６のうちの１つは、ワイヤレスデバイス８１４、８１６のうちのその１つがその間に送信または受信していない、オープンリソース中に干渉のエネルギー（または電力）を測定し得る。ワイヤレスデバイス８１４、８１６のうちの１つは、送信状態を決定するために、測定された干渉のエネルギー（または電力）をしきい値と比較し得る。
【００８８】
[0098]  動作９０８に進むと、ワイヤレスデバイスは、送信状態が、ワイヤレスデバイスによる通信のために使用されるべきリソースが他の通信に干渉し得ることを示すかどうかを決定し得る。一態様において、ワイヤレスデバイスは、他の通信のために使用されるべきリソースの指示に基づいて、送信状態が、通信のためにワイヤレスデバイスによって使用されるべきリソースが他の通信に干渉し得ることを示すと決定し得る。ワイヤレスデバイスは、ワイヤレスデバイスによる通信のために割り振られたリソースが、他の通信のためにも割り振られることが示される場合、ワイヤレスデバイスによる通信が他の通信に干渉し得ると決定し得る。
【００８９】
[0099]  図８のコンテキストにおいて、第１のワイヤレスデバイス８０６は、例えば、第１のワイヤレスデバイス８０６がアップリンク信号８２０のために使用すべきである同じリソース上で、Ｄ２Ｄ通信がネイバリングセル８１２において行われるべきであるという指示を受信し得る。さらなる態様において、第１のワイヤレスデバイス８０６は、測定された干渉が、アップリンク信号８２０がＤ２Ｄ信号８２６に干渉８２４をもたらし得るかどうかを示す、しきい値量を満たすかまたは超えるかどうかを決定し得る。測定された干渉がしきい値を満たすかまたは超える場合、第１のワイヤレスデバイス８０６は、アップリンク信号８２０がＤ２Ｄ信号８２６に干渉８２４をもたらし得ると決定し得る。他の場合、第１のワイヤレスデバイス８０６は、アップリンク信号８２０がＤ２Ｄ信号８２６に干渉８２４をもたらす可能性が低いと決定し得る。
【００９０】
[00100]  代替的に、第２のワイヤレスデバイス８１４または第３のワイヤレスデバイス８１６は、例えば、第２のワイヤレスデバイス８１４および第３のワイヤレスデバイス８１６が、Ｄ２Ｄ信号８２６のために使用すべきである同じリソース上で、Ｄ２Ｄ通信がネイバリングセル８０４において行われるべきであるという指示を受信し得る。一態様において、第２のワイヤレスデバイス８１４または第３のワイヤレスデバイス８１６は、測定された干渉が、Ｄ２Ｄ信号８２６がアップリンク信号８２０および／またはダウンリンク信号８２２に干渉８３０をもたらし得、ならびに／あるいはアップリンク信号８２０および／またはダウンリンク信号８２２によって干渉され得るかどうかを示す、しきい値量を満たすかまたは超えるかどうかを決定し得る。しかしながら、測定された干渉がしきい値を超えない（または、別の態様において、しきい値を満たさない）場合、第２のワイヤレスデバイス８１４または第３のワイヤレスデバイス８１６は、Ｄ２Ｄ信号８２６が、アップリンク信号８２０に干渉８２８をもたらし、および／またはダウンリンク信号８２２に干渉８３０をもたらし、ならびに／あるいはアップリンク信号８２０および／またはダウンリンク信号８２２によって干渉され得る可能性が低いと決定し得る。
【００９１】
[00101]  送信状態が、ワイヤレスデバイスによる通信が他の通信に干渉する可能性があることを示すとワイヤレスデバイスが決定した場合、ワイヤレスデバイスは動作９１０に進み得る。動作９１０において、ワイヤレスデバイスは、送信状態に基づいて開ループ電力制御パラメータの第１のセットを選択し得る。開ループ電力制御パラメータの第１のセットは、電力制御アルゴリズムに基づいて送信電力を制御するために、ワイヤレスデバイスによって使用され得る。例えば、開ループ電力制御パラメータの第１のセットは、ワイヤレスデバイスがワイヤレスデバイスの送信電力を増加または減少させることを引き起こし得る。
【００９２】
[00102]  図８のコンテキストにおいて、第１のワイヤレスデバイスは、例えば、デフォルトセットとは異なる、開ループ電力制御パラメータの第１のセットを選択するために、選択動作８３２を行い得る。また、図８のコンテキストにおいて、第２のワイヤレスデバイス８１４は、例えば、デフォルトセットとは異なる、開ループ電力制御パラメータの第１のセットを選択するために、選択動作８３４を行い得る。同様に、第３のワイヤレスデバイス８１６は、例えば、デフォルトセットとは異なる、開ループ電力制御パラメータの第１のセットを選択するために、選択動作８３６を行い得る。
【００９３】
[00103]  送信状態が、ワイヤレスデバイスによる通信が他の通信に干渉する可能性が低いことを示すとワイヤレスデバイスが決定した場合、ワイヤレスデバイスは動作９１２に進み得る。動作９１２において、ワイヤレスデバイスは、送信状態に基づいて開ループ電力制御パラメータの第２のセットを選択し得る。開ループ電力制御パラメータの第２のセットは、電力制御アルゴリズムに基づいて送信電力を制御するために、ワイヤレスデバイスによって使用され得る。例えば、開ループ電力制御パラメータの第１のセットは、ワイヤレスデバイスがワイヤレスデバイスの送信電力をデフォルトレベルに設定することを引き起こし得る。
【００９４】
[00104]  図８のコンテキストにおいて、第１のワイヤレスデバイスは、開ループ電力制御パラメータの第２のセット、例えば、デフォルトセットを選択するために、選択動作８３２を行い得る。また図８のコンテキストにおいて、第２のワイヤレスデバイス８１４は、開ループ電力制御パラメータの第２のセット、例えば、デフォルトセットを選択するために、選択動作８３４を行い得る。同様に、第３のワイヤレスデバイス８１６は、開ループ電力制御パラメータの第２のセット、例えば、デフォルトセットを選択するために、選択動作８３６を行い得る。
【００９５】
[00105]  動作９１４において、ワイヤレスデバイスは、開ループ電力制御パラメータの選択されたセットに基づく電力を用いてワイヤレスチャネル上で送信し得る。例えば、ワイヤレスデバイスは、開ループ電力制御パラメータの選択されたセットを考慮に入れる電力制御アルゴリズムを使用して、送信電力を算出し得る。
【００９６】
[00106]  図８のコンテキストにおいて、第１のワイヤレスデバイス８０６は、開ループ電力制御パラメータの選択されたセットを使用して送信電力を計算し、選択されたセットに従ってアップリンク信号８２０を送信し得る。また図８のコンテキストにおいて、第２のワイヤレスデバイス８１４または第３のワイヤレスデバイス８１６は、開ループ電力制御パラメータの選択されたセットを使用して送信電力を計算し、選択されたセットに従ってＤ２Ｄ信号８２６を送信し得る。
【００９７】
[00107]  図１０は、例示的な装置１００２中の異なるモジュール／手段／構成要素間のデータフローを示す概念データフロー図１０００である。方法は、ワイヤレスデバイス（例えば、図８のワイヤレスデバイス８０６、８１４、８１６のうちの１つ、図１１の装置１１０２／１１０２’など）によって行われ得る。装置１００２は、異なるモジュール／手段／構成要素間の例示的な接続および／またはデータを示す。そのような接続および／またはデータフローは、例示的なものと見なされるべきであり、従って、異なる態様において、異なるおよび／または追加の接続および／またはデータフローが存在し得ることを理解されたい。
【００９８】
[00108]  装置１００２は受信構成要素１００４を含み得る。受信構成要素１００４は、基地局および／またはワイヤレスデバイス（例えば、基地局１０５０および／またはワイヤレスデバイス１０５２）から信号を受信し得る。一態様において、受信構成要素１００４は、例えば、基地局１０５０から１つまたは複数の開ループ電力制御パラメータを受信し得る。別の態様において、受信構成要素１００４は、他の通信のために他のワイヤレスデバイス（例えば、ワイヤレスデバイス１０５２）によって使用されるべきリソースの指示を受信し得る。別の態様において、受信構成要素１００４は、他のワイヤレスデバイス（例えば、ワイヤレスデバイス１０５２）から干渉信号を受信し得る。
【００９９】
[00109]  装置１００２は決定構成要素１０１２を含み得る。決定構成要素１０１２は、基地局および／またはワイヤレスデバイスから受信構成要素１００４を通して信号を受信し得る。受信された信号に基づいて、決定構成要素１０１２は、例えば、装置によって割り当てられたリソースが他のワイヤレスデバイス（例えば、ワイヤレスデバイス１０５２）による他の通信のために割り当てられたリソースに干渉し得るかどうかを示す、送信状態を決定し得る。
【０１００】
[00110]  例えば、決定構成要素１０１２は、他のワイヤレスデバイス１０５２による他の通信のために割り当てられたリソースの指示を、受信構成要素１００４を通して基地局１０５０から受信し得る。決定構成要素１０１２は、指示されたリソースが、装置１００２がその上で通信すべきであるリソースと重複するかどうかを決定し得る。別の態様において、決定構成要素１０１２は、受信構成要素１００４を通して受信された信号のエネルギー（または電力）を測定し、干渉の可能性があるかどうかを決定するために、測定されたエネルギーをしきい値と比較し得る。
【０１０１】
[00111]  決定構成要素は、選択構成要素１０１４に送信状態の指示を与え得る。決定構成要素１０１２は、他の通信のためのリソースが、装置がその上で通信すべきであるリソースと重複するかどうか、および／または干渉の測定されたエネルギーがしきい値を超えるかどうかを示し得る。送信状態の指示に基づいて、選択構成要素１０１４は、開ループ電力制御パラメータのセットを選択し得る。開ループ電力制御パラメータの少なくとも１つのセットが、受信構成要素１００４から選択構成要素１０１４に与えられ得る。
【０１０２】
[00112]  選択構成要素１０１４は、送信状態が、装置１００２による通信が他のワイヤレスデバイス１０５２からの通信のような、他の通信に干渉し得る可能性があることを示す場合、開ループ電力制御パラメータの第１のセットを選択し得る。開ループ電力制御パラメータのこの第１のセットはデフォルトセットとは異なり得る。代替的に、選択構成要素１０１４は、送信状態が、装置１００２による通信が他の通信に干渉することになる可能性が低いことを示す場合、開ループ電力制御パラメータの第２のセットを選択し得る。開ループ電力制御パラメータのこの第２のセットはデフォルトセットであり得る。
【０１０３】
[00113]  装置は、図９の上述のフローチャート中のアルゴリズムのブロックの各々を行う追加の構成要素を含み得る。従って、図９の上述のフローチャート中の各ブロックは、１つの構成要素によって行われ得、装置は、それらの構成要素のうちの１つまたは複数を含み得る。構成要素は、述べられたプロセス／アルゴリズムを行うように特に構成される１つまたは複数のハードウェア構成要素であるか、述べられたプロセス／アルゴリズムを行うように構成されるプロセッサによって実施されるか、プロセッサによる実施のためにコンピュータ可読媒体内に記憶されるか、またはそれらの何らかの組合せであり得る。
【０１０４】
[00114]  図１１は、処理システム１１１４を採用する装置１００２’のためのハードウェア実施形態の一例を示す図１１００である。処理システム１１１４は、バス１１２４によって概略的に表される、バスアーキテクチャを用いて実施され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアモジュールと、構成要素１００４、１０１０、１０１２、１０１４と、コンピュータ可読媒体／メモリ１４０６とを含む様々な回路を互いにリンクする。バス１１２４はまた、タイミングソース、周辺機器、電圧調節器、および電力管理回路のような、様々な他の回路をリンクし得るが、これらの回路は当技術分野においてよく知られており、従って、これ以上説明されない。
【０１０５】
[00115]  処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信構成要素１００４に与える。さらに、トランシーバ１１１０は、処理システム１１１４、特に送信構成要素１０１０から情報を受信し、受信された情報に基づいて、１つまたは複数のアンテナ１１２０に適用されるべき信号を生成する。処理システム１１１４は、コンピュータ可読媒体／メモリ１１０６に結合されるプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されると、任意の特定の装置のための上述された様々な機能を処理システム１１１４に行わせる。コンピュータ可読媒体／メモリ１１０６はまた、ソフトウェアを実行するときにプロセッサ１１０４によって操作されるデータを記憶するために使用され得る。処理システムは、構成要素１００４、１０１０、１０１２、１０１４のうちの少なくとも１つをさらに含む。それらの構成要素は、プロセッサ１１０４中で動作し、コンピュータ可読媒体／メモリ１１０６中に常駐する／記憶されたソフトウェア構成要素であるか、プロセッサ１１０４に結合された１つまたは複数のハードウェア構成要素であるか、またはそれらの何らかの組合せであり得る。処理システム１１１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【０１０６】
[00116]  一構成において、ワイヤレス通信のための装置１１００／１００２’は、第１のＵＥによって、ワイヤレスチャネル上の通信に関連する送信状態を決定するための手段を含む。装置は、第１のＵＥによって、送信状態に基づいて開ループ電力制御パラメータの少なくとも２つのセットのうちの開ループ電力制御パラメータのセットを選択するための手段をさらに含み得る。装置は、第１のＵＥによって、開ループ電力制御パラメータの選択されたセットに基づく電力を用いてワイヤレスチャネル上で送信するための手段をさらに含み得る。
【０１０７】
[00117]  装置１１００／１００２’の一態様では、パラメータの複数のセットのうちの各セットが、半静的ベース電力レベルに関連する第１のパラメータと、経路損失補償に関連する第２のパラメータとを含む。装置１１００／１００２’の一態様において、ワイヤレスチャネル上の通信は、ＷＷＡＮ通信を通した基地局とのアップリンク通信を含む。装置１１００／１００２’の一態様において、送信状態は、第２のＵＥによって行われるＤ２Ｄ通信に関連し、ワイヤレスチャネル上の送信状態を決定するための手段は、第１のＵＥが第２のＵＥへの干渉を引き起こしているかどうかを決定するように構成される。
【０１０８】
[00118]  装置１１００／１００２’の一態様において、第１のＵＥが第２のＵＥへの干渉を引き起こしているかどうかを決定するための手段は、第２のＵＥが、ＷＷＡＮ通信のために第１のＵＥによって使用されるべきリソースの同じセット上でＤ２Ｄ通信を通して通信しているかどうかを決定するように構成される。装置１１００／１００２’の一態様において、開ループ電力制御パラメータのセットを選択するための手段は、第２のＵＥが、ＷＷＡＮ通信のために第１のＵＥによって使用されるべきリソースの同じセット上で通信していると第１のＵＥが決定したとき、開ループ電力制御パラメータの第１のセットを選択することと、第２のＵＥが、ＷＷＡＮ通信のために第１のＵＥによって使用されるべきリソースとは異なるリソースのセット上で通信していると第１のＵＥが決定したとき、開ループ電力制御パラメータの第２のセットを選択することとを行うように構成され、ここにおいて、開ループ電力制御パラメータの第２のセットが、開ループ電力制御パラメータの第１のセットとは異なる。
【０１０９】
[00119]  装置１１００／１００２’の一態様において、送信状態は、Ｄ２Ｄリソースとネイバリング基地局のＷＷＡＮリソースとの間の割振りに関連する。装置１１００／１００２’の一態様において、開ループ電力制御パラメータのセットを選択するための手段は、ワイヤレスチャネル上の通信が、ネイバリング基地局の割り振られたＤ２Ｄリソースと重複する少なくとも１つのリソース上にあると第１のＵＥが決定したとき、開ループ電力制御パラメータの第１のセットを選択することと、ワイヤレスチャネル上の通信が、ネイバリング基地局の割り振られたＷＷＡＮリソースと重複する、少なくともリソース上にあると第１のＵＥが決定したとき、開ループ電力制御パラメータの第２のセットを選択することとを行うように構成され、ここにおいて、開ループ電力制御パラメータの第２のセットが、開ループ電力制御パラメータの第１のセットとは異なる。
【０１１０】
[00120]  装置１１００／１００２’の一態様において、ワイヤレスチャネル上の通信は、第２のＵＥとのＤ２Ｄ通信を含む。装置１１００／１００２’の一態様において、送信状態は、第３のＵＥによって行われるＷＷＡＮ通信に関連し、ここにおいて、ワイヤレスチャネル上の送信状態を決定するための手段は、第３のＵＥが第１のＵＥへの干渉を引き起こしているかどうかを決定するように構成される。
【０１１１】
[00121]  装置１１００／１００２’の一態様において、第３のＵＥが干渉を引き起こしているかどうかを決定するための手段は、第３のＵＥが、Ｄ２Ｄ通信のために第１のＵＥによって使用されるべきリソースの同じセット上でＷＷＡＮを通して通信しているかどうかを決定するように構成される。装置１１００／１００２’の一態様において、開ループ電力制御パラメータのセットを選択するための手段は、第３のＵＥが、Ｄ２Ｄ通信のために第１のＵＥによって使用されるべきリソースの同じセット上で通信していると第１のＵＥが決定したとき、開ループ電力制御パラメータの第１のセットを選択することと、第３のＵＥが、Ｄ２Ｄ通信のために第１のＵＥによって使用されるべきリソースとは異なるリソースのセット上で通信していると第１のＵＥが決定したとき、開ループ電力制御パラメータの第２のセットを選択することとを行うように構成され、ここにおいて、開ループ電力制御パラメータの第２のセットが、開ループ電力制御パラメータの第１のセットとは異なる。
【０１１２】
[00122]  装置１１００／１００２’の一態様において、Ｄ２Ｄ通信はＤ２Ｄ発見であり、送信するための手段は、開ループ電力制御パラメータの選択されたセットに基づいてＤ２Ｄ発見のための発見信号を送信するように構成される。装置１１００／１００２’の一態様において、Ｄ２Ｄ通信は、物理サイドリンク共有チャネル（ＰＳＳＣＨ）または物理サイドリンク制御チャネル（ＰＳＣＣＨ）を通しており、送信するための手段は、開ループ電力制御パラメータの選択されたセットに基づいてＰＳＳＣＨを通したデータ、または開ループ電力制御パラメータの選択されたセットに基づいてＰＳＣＣＨを通した制御情報のうちの少なくとも１つを送信するように構成される。
【０１１３】
[00123]  上述の手段は、上述の手段によって具陳された機能を行うように構成される、装置１１００、および／または装置１００２’の処理システム１１１４の上述の構成要素のうちの１つまたは複数であり得る。上記で説明されたように、処理システム１１１４は、ＴＸプロセッサ６６８と、ＲＸプロセッサ６５６と、コントローラ／プロセッサ６５９とを含み得る。従って、一構成において、上述の手段は、上述の手段によって具陳された機能を行うように構成される、ＴＸプロセッサ６６８、ＲＸプロセッサ６５６、およびコントローラ／プロセッサ６５９であり得る。
【０１１４】
[00124]  開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものでない。
【０１１５】
[00125]  以上の説明は、当業者が本明細書で説明された様々な態様を実施できるようにするために提供されるものである。これらの態様への様々な変更は当業者には容易に明らかであり、本明細書で定義された一般原理は他の態様に適用され得る。従って、特許請求の範囲は、本明細書で示された態様に限定されるものでなく、クレーム文言に矛盾しない全範囲を与えられるべきであり、ここにおいて、単数形の要素への言及は、そのように明記されていない限り、「唯一無二の」を意味するものでなく、「１つまたは複数の」を意味するものである。「例示的」という単語は、「例、事例、または例示の働きをすること」を意味するために本明細書で使用される。「例示的」として本明細書で説明されるいかなる態様も、必ずしも他の態様よりも好適または有利なものと解釈されるべきでない。別段に明記されていない限り、「いくつか」という用語は１つまたは複数を指す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」のような組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」のような組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明される様々な態様の要素の全ての構造的および機能的等価物は、参照により本明細書に明確に組み込まれ、特許請求の範囲に包含されるものである。さらに、本明細書で開示されるいかなることも、そのような開示が特許請求の範囲に明示的に記載されているか否かにかかわらず、公に供するものでない。いかなるクレーム要素も、その要素が「のための手段」という語句を使用して明確に具陳されていない限り、ミーンズプラスファンクションとして解釈されるべきでない。
【図１】
2018526917.tif 000003
【図２】
2018526917.tif 000004
【図３】
2018526917.tif 000005
【図４】
2018526917.tif 000006
【図５】
2018526917.tif 000007
【図６】
2018526917.tif 000008
【図７】
2018526917.tif 000009
【図８】
2018526917.tif 000010
【図９】
2018526917.tif 000011
【図１０】
2018526917.tif 000012
【図１１】
2018526917.tif 000013
【国際調査報告】
2018526917.tif 000014
2018526917.tif 000015
2018526917.tif 000016